(57)【特許請求の範囲】
【請求項１】
表面側に位置する表面シートと、裏面側に位置する裏面シートと、これら表面シートと裏面シートとの間に位置する吸収体とを備え、長手方向および幅方向を有する吸収性物品本体を具備し、
この吸収性物品本体は、長手方向の一方側に位置する一方部と、長手方向の中央に位置する中央部と、長手方向の他方側に位置する他方部とによって構成され、
前記吸収体は、前記表面シート側に位置する上層吸収体と、前記裏面シート側に位置する下層吸収体とを有し、
前記上層吸収体および前記下層吸収体は、前記吸収性物品本体の長手方向において線対称であり、
前記上層吸収体は、前記一方部および前記他方部に設けられた上層端部開孔部と、前記上層端部開孔部から離間して前記中央部に設けられた上層中央開孔部とを有する上層開孔部を有し、
前記下層吸収体は、前記上層端部開孔部と前記上層中央開孔部とに重なるように設けられた下層溝部を有し、
前記下層溝部は、幅方向の長さが前記上層端部開孔部および前記上層中央開孔部より短く構成され、かつ、前記一方部に配置された前記上層端部開孔部と、前記上層中央開孔部と、前記他方部に配置された前記上層端部開孔部とに重なるように前記吸収性物品本体の前記一方部から前記他方部にわたって配設され、
前記下層溝部の長手方向の両端部は、前記下層吸収体の長手方向の両端縁部より内側で、かつ、前記上層端部開孔部より端縁部側へ延出し、
前記吸収体における少なくとも前記上層端部開孔部と前記上層中央開孔部との間には、前記下層溝部によって通液部が形成されている
ことを特徴とする使い捨て吸収性物品。
【請求項２】
下層吸収体は、複数の下層溝部が幅方向に離間して配設され、これら下層溝部間に位置する第１下層吸収部と、前記下層溝部より幅方向の外側に位置する第２下層吸収部とを有する
ことを特徴とする請求項１記載の使い捨て吸収性物品。
【請求項３】
吸収体は、少なくとも上層開孔部および下層溝部に対応して配設された液拡散シートを有する
ことを特徴とする請求項１または２記載の使い捨て吸収性物品。
【請求項４】
液拡散シートは、長手方向および幅方向を有するシート体の幅方向の両端部が幅方向の中心側に折り曲げられて複数層状に形成されており、
この複数層状に形成された液拡散シートは、
幅方向の中央部に位置し、前記シート体の幅方向の中央部と、前記シート体の折り曲げられた幅方向の一端側の先端部と、前記シート体の折り曲げられた幅方向の他端側の先端部とが積層された中央液拡散部と、
この中央液拡散部の幅方向の一端側に位置し、少なくとも前記シート体の中央部と前記シート体の折り曲げられた幅方向の一端側の基端部とが積層された一端液拡散部と、
前記中央液拡散部の幅方向の他端側に位置し、少なくとも前記シート体の中央部と前記シート体の折り曲げられた幅方向の他端側の基端部とが積層された他端液拡散部とを有する
ことを特徴とする請求項３記載の使い捨て吸収性物品。
【発明の詳細な説明】
【技術分野】
【０００１】
本発明は、子供用、大人用或いは失禁用の使い捨て吸収性物品に関する。
【背景技術】
【０００２】
従来、尿等の排泄液を吸収する使い捨て吸収性物品は、表面側に配設された透液性の表面シートを透過した排泄液が吸収体で吸収され、裏面側に配設された不透液性の裏面シートによって裏面側からの排泄液の漏れを防止している。
【０００３】
この種の使い捨て吸収性物品において、吸収体にて吸収した排泄液を拡散させて吸収体全体を有効に活用したものとしては、吸収体が、表面シート側に位置し上層開孔部が設けられた上層吸収体と、裏面シート側に位置し上層開孔部に少なくとも一部が重なった下層溝部が設けられた下層吸収体とを有する構成が知られている（例えば、特許文献１参照。）。
【０００４】
この特許文献１の使い捨て吸収性物品では、上層開孔部は、上層吸収体の幅方向中央に位置し、上層吸収体の長手方向に沿って少なくとも前側部から中央部にわたって設けられ、下層溝部は、下層吸収体の幅方向中央に位置し、下層吸収体の長方向に沿って少なくとも中央部から後側部にわたって設けられており、少なくとも中央部には、上層開孔部と下層溝部とが重なって吸収体凹部が形成され、中央部から後側部には、上層吸収体の上層開孔部以外の部分と下層溝部とが重なって通液部が形成されている。
【０００５】
そして、表面シートを透過した排泄液が、上層開孔部および吸収体凹部を通って上層開孔部から下層溝部へ移動し通液部へ流入し通液部を通って下層吸収体で拡散させることにより、吸収体における排泄液の拡散性を向上させている。
【先行技術文献】
【特許文献】
【０００６】
【特許文献１】特許第５３９４９０９号公報
【発明の概要】
【発明が解決しようとする課題】
【０００７】
しかしながら、上述の特許文献１の構成では、吸収体凹部が中央部に形成されているため、中央部においては排泄液が上層開孔部から通液部へ移動しやすいが、前側部および後側部では排泄液が通液部へ移動しにくく、排泄液が拡散しにくい場合があった。
【０００８】
また、上層開孔部が前側部から中央部にわたって広範囲に設けられているため、一旦吸収された排泄液が、広範囲に配置された上層開孔部を通って肌へ逆戻りしてしまう場合があった。
【０００９】
本発明はこのような点に鑑みなされたもので、排泄液の拡散性を向上でき、吸収した排泄液の肌への逆戻りが発生しにくい使い捨て吸収性物品を提供することを目的とする。
【課題を解決するための手段】
【００１０】
請求項１に記載された使い捨て吸収性物品は、表面側に位置する表面シートと、裏面側に位置する裏面シートと、これら表面シートと裏面シートとの間に位置する吸収体とを備え、長手方向および幅方向を有する吸収性物品本体を具備し、この吸収性物品本体は、長手方向の一方側に位置する一方部と、長手方向の中央に位置する中央部と、長手方向の他方側に位置する他方部とによって構成され、前記吸収体は、前記表面シート側に位置する上層吸収体と、前記裏面シート側に位置する下層吸収体とを有し、前記上層吸収体および前記下層吸収体は、前記吸収性物品本体の長手方向において線対称であり、前記上層吸収体は、前記一方部および前記他方部に設けられた上層端部開孔部と、前記上層端部開孔部から離間して前記中央部に設けられた上層中央開孔部とを有する上層開孔部を有し、前記下層吸収体は、前記上層端部開孔部と前記上層中央開孔部とに重なるように設けられた下層溝部を有し、前記下層溝部は、幅方向の長さが前記上層端部開孔部および前記上層中央開孔部より短く構成され、かつ、前記一方部に配置された前記上層端部開孔部と、前記上層中央開孔部と、前記他方部に配置された前記上層端部開孔部とに重なるように前記吸収性物品本体の前記一方部から前記他方部にわたって配設され、前記下層溝部の長手方向の両端部は、前記下層吸収体の長手方向の両端縁部より内側で、かつ、前記上層端部開孔部より端縁部側へ延出し、前記吸収体における少なくとも前記上層端部開孔部と前記上層中央開孔部との間には、前記下層溝部によって通液部が形成されているものである。
【００１１】
請求項２に記載された使い捨て吸収性物品は、請求項１記載の使い捨て吸収性物品において、下層吸収体は、複数の下層溝部が幅方向に離間して配設され、これら下層溝部間に位置する第１下層吸収部と、前記下層溝部より幅方向の外側に位置する第２下層吸収部とを有するものである。
【００１２】
請求項３に記載された使い捨て吸収性物品は、請求項１または２記載の使い捨て吸収性物品において、吸収体は、少なくとも上層開孔部および下層溝部に対応して配設された液拡散シートを有するものである。
【００１３】
請求項４に記載された使い捨て吸収性物品は、請求項３記載の使い捨て吸収性物品において、液拡散シートは、長手方向および幅方向を有するシート体の幅方向の両端部が幅方向の中心側に折り曲げられて複数層状に形成されており、この複数層状に形成された液拡散シートは、幅方向の中央部に位置し、前記シート体の幅方向の中央部と、前記シート体の折り曲げられた幅方向の一端側の先端部と、前記シート体の折り曲げられた幅方向の他端側の先端部とが積層された中央液拡散部と、この中央液拡散部の幅方向の一端側に位置し、少なくとも前記シート体の中央部と前記シート体の折り曲げられた幅方向の一端側の基端部とが積層された一端液拡散部と、前記中央液拡散部の幅方向の他端側に位置し、少なくとも前記シート体の中央部と前記シート体の折り曲げられた幅方向の他端側の基端部とが積層された他端液拡散部とを有するものである。
【発明の効果】
【００１４】
請求項１に記載された発明によれば、上層端部開孔部および上層中央開孔部と下層溝部とが重なって配置されているとともに、下層溝部によって通液部が形成されたことにより、排泄液が上層端部開孔部または上層中央開孔部から下層溝部へ移動し、通液部を通って拡散されるため、排泄液の拡散性を向上できる。また、上層端部開孔部と上層中央開孔部とが離間して配置されているため、吸収体から肌へ排泄液の逆戻りを抑制できる。
【００１５】
また、上層吸収体および下層吸収体が吸収性物品本体の長手方向において線対称であり、上層端部開孔部が一方部および他方部に配設され、下層溝部が、一方部の上層端部開孔部と中央部の上層中央開孔部と他方部の上層端部開孔部とに重なるように配設されているため、装着する際に一方部側と他方部側を区別する必要がなく、容易に装着できる。また、下層溝部が一方部から他方部にわたって配設されているため、通液部へ流入した排泄液が、一方部および他方部へ拡散でき、拡散性を向上できる。
【００１６】
請求項２に記載された発明によれば、下層吸収体が下層溝部間に位置する第１下層吸収部と、下層溝部より幅方向の外側に位置する第２下層吸収部とを有するため、下層吸収体における排泄液との接触面積を大きくでき、下層吸収体にて排泄液をより確実に吸収して、排泄液の肌への逆戻りを抑制できる。
【００１７】
請求項３に記載された発明によれば、上層吸収体と下層吸収体との間の少なくとも上層開孔部および下層溝部に対応する部分に液拡散シートが配設されているため、通液部の拡散性を維持でき、より確実に排泄液を拡散できる。
【００１８】
請求項４に記載された発明によれば、液拡散シートが複数層状であるため、通液部の拡散性をより確実に維持できる。
【図面の簡単な説明】
【００１９】
【図１】本発明の第１の実施の形態に係る使い捨て吸収性物品の構成を示す平面図である。
【図２】（ａ）は図１におけるＡ−Ａ断面図であり、（ｂ）は図１におけるＢ−Ｂ断面図である。
【図３】本発明の第１の実施の形態に係る使い捨て吸収性物品の変形例を示す断面図である。
【図４】本発明の第１の実施の形態に係る使い捨て吸収性物品の変形例を示す断面図である。
【図５】本発明の第２の実施の形態に係る使い捨て吸収性物品の構成を示す平面図である。
【図６】（ａ）は図５におけるＣ−Ｃ断面図であり、（ｂ）は図５におけるＤ−Ｄ断面図である。
【図７】本発明の第３の実施の形態に係る使い捨て吸収性物品の液拡散シートを示す断面図である。
【図８】（ａ）および（ｂ）は同上液拡散シートが配設された使い捨て吸収性物品の断面図である。
【発明を実施するための形態】
【００２０】
以下、本発明の第１の実施の形態の構成について図面を参照しながら詳細に説明する。
【００２１】
図１において、１は使い捨て吸収性物品を示し、この使い捨て吸収性物品１は、長手方向および幅方向を有する略矩形状の吸収性物品本体２を具備している。
【００２２】
吸収性物品本体２は、使い捨て吸収性物品１が装着された装着状態で表面側である装着者側に位置する表面シート３と、装着状態で裏面側である装着者とは反対側の衣類側に位置する裏面シート４と、これら表面シート３と裏面シート４との間に位置する吸収体５とを備えている。
【００２３】
また、吸収性物品本体２は、長手方向の一方側すなわち装着状態で装着者の前側である腹側に位置する一方部６と、長手方向の中央すなわち装着状態で装着者の股下に位置する中央部７と、長手方向の他方側すなわち装着状態で装着者の後側である背側に位置する他方部８とによって構成されている。
【００２４】
表面シート３は、尿等の液状の排泄液を透過可能な略矩形状の液透過性シートであり、裏面シート４は、排泄液が透過しない略矩形状の液不透過性（疎水性）シートである。なお、これら表面シート３および裏面シート４は、例えば、織布、不織布、フィルムおよび合成樹脂等のシート材にて適宜形成される。
【００２５】
さらに、表面シート３および裏面シート４は、吸収体５を挟んだ状態で接合されて封着されている。
【００２６】
また、吸収性物品本体２は、吸収体５の両側である幅方向の外側に、表面シート３および裏面シート４の幅方向の両端部にて長手方向に沿ってフラップ部11が形成されている。すなわち、フラップ部11は、表面シート３および裏面シート４における吸収体５より幅方向の外側に延出した部分にて形成されている。
【００２７】
フラップ部11は、中央部７において、フラップ弾性体12が表面シート３と裏面シート４との間に伸張した状態で長手方向に沿って配設されている。また、このフラップ弾性体12が収縮することにより、使い捨て吸収性物品１の装着状態において、フラップ部11が装着者の肌に密着しやすい状態となる。
【００２８】
そして、装着者の排泄液は、フラップ部11にて吸収性物品本体２の幅方向外側への漏出が防止されながら、表面シート３を透過して吸収体５に吸収され、裏面シート４にて吸収体５から裏面側へ漏出が防止されて、吸収体５に吸収された状態が維持される。
【００２９】
ここで、吸収体５は、表面シート３側に位置する上層吸収体13と、裏面シート４側に位置する下層吸収体14とを有している。
【００３０】
これら上層吸収体13および下層吸収体14は、排泄液を十分に吸収できるように、例えば、パルプ等の吸収性繊維および高分子吸収材等にて形成されている。
【００３１】
なお、表面シート３と上層吸収体13との間や、上層吸収体13と下層吸収体14との間や、下層吸収体14と裏面シート４との間には、上層吸収体13および下層吸収体14の保形性や製造時の運搬性の向上を目的としてティッシュペーパ等のクレープ紙が配設された構成にしてもよい。
【００３２】
下層吸収体14は、吸収性物品本体２の中央部７における幅方向の長さが、一方部６および他方部８の幅方向の長さより短く、中央部７が幅方向に円弧凹状に切り欠かれて平面視で略砂時計状に形成されている。また、一方部６および他方部８における下層吸収体14の幅方向の長さは、表面シート３および裏面シート４の幅方向の長さより短く形成され、下層吸収体14の長手方向の長さは、表面シート３および裏面シート４の長手方向の長さより短く形成されている。
【００３３】
上層吸収体13は、平面視で長手方向および幅方向を有する略矩形状であり、長手方向の長さが下層吸収体14の長手方向の長さと略同一で、幅方向の長さが中央部７における下層吸収体14の幅方向の長さが最も短い部分と同じ長さに形成されている。
【００３４】
また、上層吸収体13および下層吸収体14は、吸収性物品本体２の長手方向において、図１にて一点鎖線で示す中心線を基準に線対称となっている。
【００３５】
そして、下層吸収体14の幅方向の中央に上層吸収体13が配設されて吸収体５が構成される。すなわち、吸収体５は、吸収性物品本体２の中央部７における幅方向の長さが一方部６および他方部８の幅方向の長さより短く平面視で略砂時計状であり、表面シート３および裏面シート４の中央に配設されている。
【００３６】
ここで、上層吸収体13には上層吸収体13を貫通する上層開孔部15が設けられ、下層吸収体14には下層吸収体14を貫通した複数、例えば２つの下層溝部16が設けられている。
【００３７】
上層開孔部15は、図１、図２（ａ）および図２（ｂ）に示すように、一方部６および他方部８に位置し平面視で略矩形状の上層端部開孔部17と、中央部７に位置し上層端部開孔部17より開孔面積が大きい平面視で略矩形状の上層中央開孔部18とを有している。すなわち、上層吸収体13には、長手方向に沿って上層端部開孔部17と上層中央開孔部18と上層端部開孔部17とが互いに離間して設けられている。
【００３８】
下層溝部16は、幅方向の長さが上層端部開孔部17および上層中央開孔部18より短く、下層吸収体14の長手方向において一方部６から他方部８にわたってのびる細長形状である。
【００３９】
このような下層溝部16は、一方部６の上層端部開孔部17と、中央部７の上層中央開孔部18と、他方部８の上層端部開孔部17とに重なるように配置されている。
【００４０】
また、下層溝部16の長手方向の両端部は、下層吸収体14の長手方向の両端縁部より内側で、かつ、上層端部開孔部17より端縁部側へ延出している。なお、下層溝部16の長手方向の両端部が下層吸収体14の長手方向の端縁部まで設けられていると、排泄液が下層溝部16を通って長手方向から漏出する可能性があるため、下層溝部16は、長手方向の両端部が下層吸収体14の長手方向の両端部より内側に配置される構成が好ましい。
【００４１】
さらに、２つの下層溝部16のうちの一方における幅方向の一端縁部は、断面方向において上層端部開孔部17および上層中央開孔部18の幅方向の一端縁部に一致し、２つの下層溝部16のうちの他方における幅方向の他端縁部は、断面方向において上層端部開孔部17および上層中央開孔部18の幅方向の他端縁部に一致するように配置されている。
【００４２】
そして、表面シート３を透過した排泄液は、上層端部開孔部17または上層中央開孔部18から下層溝部16へ流入する。
【００４３】
ここで、上層端部開孔部17および上層中央開孔部18は、開孔面積が大きいほど、排泄液が下層溝部16へ流入しやすくなるが、一旦吸収した排泄液が肌へ逆戻りしやすくなる。そのため、上層端部開孔部17および上層中央開孔部18は、一辺の長さが３ｃｍ以上１０ｃｍ以下にする構成が好ましい。また、上層端部開孔部17は、幅方向の長さが一方部６または他方部８における吸収体５の幅方向の長さの１／３以上２／３以下となる構成が好ましく、上層中央開孔部18は、幅方向の長さが中央部７における吸収体５の幅方向の長さの１／３以上２／３以下となる構成が好ましい。
【００４４】
下層吸収体14は、２つの下層溝部16が幅方向に離間して配設され、これら下層溝部16間に位置する第１下層吸収部21と、下層溝部16より幅方向の外側に位置する第２下層吸収部22とを有している。
【００４５】
第１下層吸収部21は、吸収体５の幅方向における略中心部に位置し、幅方向の長さが下層溝部16の長さより長く、第２下層吸収部22の幅方向の長さより短く形成されている。
【００４６】
そして、吸収体５は、図１におけるＡ−Ａ断面図である図２（ａ）に示すように、上層開孔部15と下層溝部16とが重なる部分にて、上層開孔部15と下層溝部16とが連通する吸収体凹部23が形成されている。なお、この吸収体凹部23では、上層吸収体13および下層吸収体14が配設されていないため、表面シート３と裏面シート４とが接合されている。
【００４７】
また、吸収体５は、図１におけるＢ−Ｂ断面図である図２（ｂ）に示すように、上層吸収体13における上層開孔部15以外の非開孔部分の裏面シート４側に位置する下層溝部16によって、排泄液が通過可能な空洞状の通液部24が形成されている。すなわち、通液部24は、断面視で、上層吸収体13の非開孔部分と、下層吸収体14と、裏面シート４とで囲まれて形成されている。
【００４８】
次の上記第１の実施の形態の作用を説明する。
【００４９】
使い捨て吸収性物品１を装着する際には、吸収性物品本体２の表面シート３を内側すなわち装着者側とし、吸収性物品本体２の裏面シート４を外側すなわち衣類側とするとともに、一方部６が装着者の腹側に位置し、中央部７が装着者の股下に位置し、他方部８が装着者の背側に位置するように、例えば、おむつ等のパンツ型吸収性物品や下着等の内側に配設して、これらパンツ型吸収性物品や下着とともに装着する。
【００５０】
使い捨て吸収性物品１の装着状態では、装着者が男性の場合には、一方部６の上層端部開孔部17が装着者の排尿部位に対応し、装着者が女性の場合には、上層中央開孔部18が、装着者の排尿部位に対応する。なお、装着者が女性の場合は、上層中央開孔部18が排尿部位に対応するため、装着に際して吸収性物品本体２の一方部６側と他方部８側とを確認する必要がない。
【００５１】
装着者の排泄液は、表面シート３を透過して、上層端部開孔部17または上層中央開孔部18へ流入する。
【００５２】
上層端部開孔部17または上層中央開孔部18に流入した排泄液は、吸収体凹部23を通って下層溝部16へ移動するとともに、通液部24へ流入する。
【００５３】
通液部24へ流入した排泄液は、通液部24を通って一方部６側または他方部８側へ向かって移動しながら、下層吸収体14に吸収される。すなわち、通液部24にて、下層吸収体14における排泄液の拡散が促進され、排泄液は拡散されながら下層吸収体14に吸収される。
【００５４】
なお、通液部24にて拡散される排泄液は、上層吸収体13にも吸収されるが、上層吸収体13の裏面シート４側である下側から吸収されるため、吸収された排泄液が上層吸収体13の表面シート３側である上面、すなわち装着者側の面に達しにくい。
【００５５】
そして、上記使い捨て吸収性物品１によれば、上層端部開孔部17および上層中央開孔部18と下層溝部16とが重なるように配置されているとともに、下層溝部16によって通液部24が形成されていることにより、排泄液が上層端部開孔部17または上層中央開孔部18から下層溝部16へ移動し、通液部24を通って拡散されるため、吸収体５における排泄液の拡散性を向上できる。そのため、吸収体５全体を効率良く利用して排泄液の吸収力を確保でき、排泄液の漏出を防止できる。
【００５６】
また、排泄液が通液部24を通って拡散されながら下層吸収体14に吸収されるため、上層吸収体13による排泄液の吸収量を抑えることができるとともに、吸収した排泄液が上層吸収体13の上面に達しにくく、吸収体５から肌への排泄液の逆戻りを抑制できる。
【００５７】
さらに、上層端部開孔部17と上層中央開孔部18とが離間しているため、上層吸収体13における開孔面積をできるだけ小さく抑えることができ、開孔部分を介する吸収体５から肌への排泄液の逆戻りを抑制できる。
【００５８】
また、上層吸収体13および下層吸収体14が吸収性物品本体２の長手方向において線対称であり、上層端部開孔部17が一方部６および他方部８に配設され、下層溝部16が一方部６の上層端部開孔部17と中央部７の上層中央開孔部18と他方部８の上層端部開孔部17とに重なるように配設されているため、装着する際に一方部６側と他方部８側とを区別する必要がなく、容易に装着できる。
【００５９】
すなわち、装着者が男性の場合であっても、一方部６および他方部８に上層端部開孔部17が設けられているため、吸収性物品本体２の一方部６側と他方部８側とを区別しなくても、装着者の排尿部位に対応して上層端部開孔部17が配置される。また、下層溝部16が一方部６の上層端部開孔部17と、中央部７の上層中央開孔部18と、他方部８の上層端部開孔部17と重なっているため、一方部６の上層端部開孔部17および他方部８の上層端部開孔部17のいずれから排泄液が流入しても、下層溝部16へ移動でき、通液部24を通って反対側へ拡散できる。
【００６０】
下層吸収体14が、下層溝部16間に位置する第１下層吸収部21と、下層溝部16より幅方向の外側に位置する第２下層吸収部22とを有するため、下層溝部16が１つである構成に比べて、下層吸収体14における排泄液との接触面積を大きくできる。そのため、下層吸収体14にて排泄液をより確実に吸収して、排泄液の肌への逆戻りを抑制できる。
【００６１】
また、第１下層吸収部21が吸収体５の幅方向における略中心部に位置することにより、一般的に最も排泄液が流入しやすい幅方向の中央にて排泄液を吸収できるため、排泄液の肌への逆戻りを抑制できる。
【００６２】
なお、上記第１の実施の形態では、吸収体５の両側にフラップ部11が設けられた構成としたが、このような構成には限定されず、フラップ部11が設けられていない構成にしてもよい。
【００６３】
また、フラップ部11が設けられた構成にする場合には、表面シート３および裏面シート４の幅方向の両端部を折返し、この折返された部分にてフラップ部11が形成された構成
にしてもよい。
【００６４】
さらに、フラップ部11が、表面シート３および裏面シート４にて形成された構成としたが、このような構成には限定されず、表面シート３および裏面シート４のいずれかのみにて形成された構成にしてもよい。
【００６５】
また、吸収体５の両側に別体のシートおよび弾性体を配設し、いわゆる立体ギャザーが形成された構成にしてもよい。
【００６６】
吸収体５が略砂時計状の構成としたが、このような構成には限定されず、吸収体５や、上層吸収体13および下層吸収体14の形状は、適宜設計できる。
【００６７】
上層中央開孔部18は、上層端部開孔部17より開孔面積が大きい構成としたが、この構成には限定されず、上層端部開孔部17および上層中央開孔部18の大きさは適宜決定できる。
【００６８】
上層開孔部15および下層溝部16は、下層溝部16の一部が上層端部開孔部17と上層中央開孔部18とに重なるように配設されていれば、形状や数は適宜決定できる。
【００６９】
また、上層開孔部15および下層溝部16は、下層溝部16のうちの一方における幅方向の一端縁部が、上層端部開孔部17および上層中央開孔部18の幅方向の一端縁部に一致し、下層溝部16のうちの他方における幅方向の他端縁部は、上層端部開孔部17および上層中央開孔部18の幅方向の他端縁部に一致するように配置された構成としたが、このような構成には限定されない。すなわち、吸収性物品本体２の幅方向において、下層溝部16の一部が上層端部開孔部17と上層中央開孔部18とに重なるように配設されていれば、下層溝部16全体が上層端部開孔部17および上層中央開孔部18に重なるように配設される必要はない。
【００７０】
下層溝部16は、長手方向において一方部６から他方部８にわたってのびる細長形状で、一方部６の上層端部開孔部17と、中央部７の上層端部開孔部17と、他方部８の上層端部開孔部17とに重なるように配置された構成としたが、このような構成には限定されず、一方部６の上層端部開孔部17および他方部８の上層端部開孔部17と上層中央開孔部18とに重なるように配設された構成であれば、形状は適宜決定できる。
【００７１】
また、下層吸収体14は、複数の下層溝部16が幅方向に離間して配設され、第１下層吸収部21と第２下層吸収部22とを有する構成としたが、このような構成には限定されず、下層溝部16の数や配置は、適宜決定でき、下層溝部16の数や配置にともなって下層吸収体14の構成も適宜決定できる。
【００７２】
吸収体５は、上層開孔部15および下層溝部16によって吸収体凹部23が形成され、上層吸収体13における非開孔部分と下層溝部16とによって通液部24が形成された構成としたが、このような構成には限定されず、下層溝部16によって通液部24が形成された構成であればよい。すなわち、図３に示す変形例のように、上層開孔部15と下層溝部16とが重なる箇所において、下層溝部16において表面シート３と裏面シート４とを接合させずに離間させることによって、上層開孔部15と表面シート３とによって上層吸収体凹部27が形成され、下層溝部16と表面シート３とによって空洞状の通液部28が形成された構成等にしてもよい。
【００７３】
また、下層溝部16は、下層吸収体14を貫通した構成としたが、このような構成には限定されず、下層溝部16によって通液部が形成可能な構成であればよい。すなわち、図４に示す変形例のように、下層溝部29が、下層吸収体14の断面方向の略中央までの深さで形成され、この下層溝部29にて通液部30が形成された構成等にしてもよい。
【００７４】
吸収体５の保形等を目的としてクレープ紙が配設された構成の場合には、上層開孔部15および下層溝部16にはクレープ紙が配設された構成でも、配設されていない構成でもよい。
【００７５】
次に、第２の実施の形態を図５および図６を参照して説明する。なお、上記第１の実施の形態と同一の構成及び作用については、同一符号を付してその説明を省略する。
【００７６】
図５に示すように、吸収体31は、上層吸収体32と下層吸収体33との間に液拡散シート34が配設されている。
【００７７】
具体的には、液拡散シート34は、上層吸収体32と下層吸収体33との間において、一方面が下層溝部37を覆い、他側面が上層開孔部すなわち上層中央開孔部35および上層端部開孔部36を覆うように上層開孔部および下層溝部37に対応して、吸収体31の長手方向の全長にわたって配設されている。
【００７８】
ここで、上記第１の実施の形態における使用状態では、例えば装着者が座った際等に表面シート３側と裏面シート４側とを圧縮するように吸収体５に圧力が加わると、上層吸収体13が下層溝部16に入り込んで通液部24の空間が塞がれて拡散性が低下する場合がある。
【００７９】
そこで、液拡散シート34を配設することにより、上層開孔部と下層溝部37とが重なる部分においては、図６（ａ）に示すように表面シート３と下層吸収体33または裏面シート４との間に液拡散シート34が配設される。また、上層吸収体32と下層溝部37とが重なる部分においては、図６（ｂ）に示すように、上層吸収体32と、下層吸収体33または裏面シート４との間に液拡散シート34が配設される。
【００８０】
したがって、表面シート３側と裏面シート４側とを圧縮するように吸収体31に圧力が加わっても、通液部38の形状が液拡散シート34にて保持され、通液部38が長手方向に連通した状態となる。そのため、通液部38による排泄液の拡散性を維持でき、より確実に排泄液を拡散できる。
【００８１】
液拡散シート34としては、通液部38を保持するのに十分な嵩高（厚み）でかつ通液部38内にて排泄液を透過可能なシート体が用いられる。また、装着感を考慮するとクッション性を有する素材が好ましい。そして、厚み、液透過性およびクッション性を考慮すると、例えば不織布等が好ましい。
【００８２】
また、液拡散シート34は、少なくとも上層開孔部および下層溝部37に対応して配設されていれば、吸収体31の長手方向や幅方向の全長にわたって配設される必要はなく、一方面が上層中央開孔部35および上層端部開孔部36を覆い他方面が下層溝部37を覆うように配置されていれば、配設範囲は適宜決定できる。
【００８３】
次に、第３の実施の形態を図７および図８を参照して説明する。なお、上記実施の形態と同一の構成及び作用については、同一符号を付してその説明を省略する。
【００８４】
この第３の実施の形態は、上記第２の実施の形態の液拡散シート34に代えて、図７に示すように折り畳まれた状態の液拡散シート41を用いたものである。
【００８５】
この液拡散シート41は、長手方向および幅方向を有する１枚のシート体42にて形成され、幅方向の両端部が中心側に折り曲げられて複数層状に形成されている。
【００８６】
このように折り曲げられて複数層状に形成された液拡散シート41は、幅方向の中央に位置する中央液拡散部43と、この中央液拡散部43の幅方向の一端側に位置する一端液拡散部44と、中央液拡散部43の幅方向の他端側に位置する他端液拡散部45とを有している。
【００８７】
中央液拡散部43は、シート体42における幅方向の中央部46と、シート体42における折り曲げられた幅方向の一端側の先端部47と、シート体42における折り曲げられた幅方向の他端側の先端部48とが積層されて３層で構成されている。
【００８８】
一端液拡散部44は、シート体42における幅方向の中央部46と、シート体42における折り曲げられた幅方向の一端側の基端部49とが積層されて２層で構成されている。
【００８９】
他端液拡散部45は、シート体42における中央部46と、シート体42における折り曲げられた幅方向の他端側の基端部50とが積層されて２層で構成されている。
【００９０】
このような液拡散シート41は、中央液拡散部43が第１下層吸収部21上に配置され、一端液拡散部44および他端液拡散部45の一部が上層吸収体32と下層吸収体33との間に配置される。
【００９１】
そして、複数層状の液拡散シート41が用いられることにより、１層状の液拡散シート34に比べて下層溝部37の形状に液拡散シート41が追従しやすく、通液部38の保持力を向上でき、通液部38の拡散性をより確実に維持できる。
【００９２】
ここで、例えば複数枚のシート体を重ねて複数層状の液拡散シートを形成する場合には、複数のシート体同士を接合しないと、製造時や使用時にシート体同士に位置ずれが発生する可能性があるため、シート体同士を接合して固着する必要がある。
【００９３】
これに対して、液拡散シート41は、１枚のシート体42が折り畳まれて形成されているため、重なり合った部分同士に位置ずれが発生しにくく、接合しない構成か、または、接合を最小限に抑えた構成にできる。そのため、液拡散シート41を容易に製造できるとともに、接合による液拡散性能の低下や着用感の悪化を防止できる。
【００９４】
また、図５において液拡散シート34に代えて液拡散シート41を配設した場合のＣ−Ｃ断面図である図８（ａ）に示すように、中央液拡散部43は、幅方向の長さが上層中央開孔部35の幅方向の長さより短い構成が好ましい。すなわち、３層に積層されて最も厚みのある中央液拡散部43が幅方向において上層中央開孔部35より内側に位置することにより、上層中央開孔部が設けられた箇所でも表面シート３を平坦にできる。
【００９５】
さらに、図５において液拡散シート34に代えて液拡散シート41を配設した場合のＤ−Ｄ断面図である図８（ｂ）に示すように、上層開孔部が設けられていない非開孔部分では、上層吸収体32と下層吸収体33とで中央液拡散部43が圧縮されるので表面シート３を平坦にできる。そのため、複数層状の液拡散シート41を用いることにより、通液部38を保持できるだけでなく、吸収性物品本体２表面に凹みが形成されず、肌への密着性を向上できる。
【００９６】
なお、液拡散シート41は、中央液拡散部43が３層で、一端液拡散部44および他端液拡散部45が２層である構成としたが、これらの積層数は限定されず、複数層であれば折り方を選択して適宜決定できる。
【符号の説明】
【００９７】
１    使い捨て吸収性物品
２    吸収性物品本体
３    表面シート
４    裏面シート
５    吸収体
６    一方部
７    中央部
８    他方部
13    上層吸収体
14    下層吸収体
15    上層開孔部
16    下層溝部
17    上層端部開孔部
18    上層中央開孔部
21    第１下層吸収部
22    第２下層吸収部
24    通液部
28    通液部
29    下層溝部
30    通液部
31    吸収体
32    上層吸収体
33    下層吸収体
34    液拡散シート
35    上層中央開孔部
36    上層端部開孔部
37    下層溝部
38    通液部
41    液拡散シート
42    シート体
43    中央液拡散部
44    一端液拡散部
45    他端液拡散部
46    中央部
47    先端部
48    先端部
49    基端部
50    基端部
【図１】
0006306450.tif 000002
【図２】
0006306450.tif 000003
【図３】
0006306450.tif 000004
【図４】
0006306450.tif 000005
【図５】
0006306450.tif 000006
【図６】
0006306450.tif 000007
【図７】
0006306450.tif 000008
【図８】
0006306450.tif 000009